【事件の表示】
　上記当事者間の特許第３６４１２２０号発明「映像表示機器用前面板」の特許無効審判事件について、次のとおり審決する。
【結　論】
　特許第３６４１２２０号の請求項１乃至２に係る発明についての特許を無効とする。
　審判費用は、被請求人の負担とする。
【理　由】
１　本件発明
　本件特許第３６４１２２０号は、平成１３年４月３日に特許出願され、平成１７年１月２８日に特許権の設定登録がなされ、その後、平成１７年９月２２日付けで特許無効審判が請求されたものであって、その請求項１乃至２に係る発明（以下、「本件発明１」及び「本件発明２」という。）は、特許明細書の記載からみて、その特許請求の範囲の請求項１乃至２に記載された次のとおりのものである。
　
【請求項１】
「下記一般式（１）
【化１】
（式中、Ｒ1およびＲ2は、それぞれ独立して、置換基を有していてもよい脂肪族炭化水素基を表し、Ｒ3およびＲ4は、それぞれ独立して、水素原子または置換基を表し、Ｌ1およびＬ2は、それぞれ独立して、置換基を有していてもよい芳香族環を表す。）
または下記一般式（２）
【化２】
（式中、Ｒ5およびＲ6は、それぞれ独立して、置換基を有していてもよい脂肪族炭化水素基を表し、Ｒ7〜Ｒ9は、それぞれ独立して、水素原子または置換基を表し、Ｚ1およびＺ2は、それぞれ独立して、５員環を形成するための２価の基を表し、Ｌ3およびＬ4は、それぞれ独立して、置換基を有していてもよい芳香族環を表し、Ｘ-は対陰イオンを表す。）で示される化合物を含有する層が、ガラス板に積層されてなることを特徴とする映像表示機器用前面板。」
　
【請求項２】
「下記一般式（１）
（式中、Ｒ1およびＲ2は、それぞれ独立して、置換基を有していてもよい脂肪族炭化水素基を表し、Ｒ3およびＲ4は、それぞれ独立して、水素原子または置換基を表し、Ｌ1およびＬ2は、それぞれ独立して、置換基を有していてもよい芳香族環を表す。）
または下記一般式（２）
（式中、Ｒ5およびＲ6は、それぞれ独立して、置換基を有していてもよい脂肪族炭化水素基を表し、Ｒ7〜Ｒ9は、それぞれ独立して、水素原子または置換基を表し、Ｚ1およびＺ2は、それぞれ独立して、５員環を形成するための２価の基を表し、Ｌ3およびＬ4は、それぞれ独立して、置換基を有していてもよい芳香族環を表し、Ｘ-は対陰イオンを表す。）で示される化合物を含有する樹脂板からなることを特徴とする映像表示機器用前面板。」
　
２　請求人の主張
　これに対して、請求人は、本件特許の請求項１乃至２に係る発明は、本件特許の出願前である平成１３年２月２日に出願され、平成１４年８月１４日に特開２００２−２２８８２９号公報（甲第１号証）として公開された出願（特願２００１−２７４５０号）の明細書に記載の発明と同一、及び、本件特許の出願前である平成１２年１１月１３日に出願され、平成１４年５月２２日に特開２００２−１４８４３０号公報（甲第２号証）として公開された出願（特願２０００−３４４９５６号）の明細書に記載の発明と同一であるから、本件特許の請求項１乃至２に係る発明の特許は、特許法第２９条の２の規定に違反してされたと主張し、証拠方法として、甲第１号証（特開２００２−２２８８２９号公報）、及び甲第２号証（特開２００２−１４８４３０号公報）を提出している。
　
３　被請求人の主張
　被請求人に対し、平成１７年１０月２０日付けの請求書副本の送達通知において、６０日間の期間を指定して答弁の機会を与えたが、答弁書の提出がなされなかった。
　
４　甲第１号証乃至甲第２号証の記載
（１）甲第１号証
　甲第１号証（以下「先願明細書１」という）には、以下の点（１−イ）〜（１−ヌ）が記載されている。
（１−イ）「【特許請求の範囲】【請求項１】下記一般式（Ｉ）で表される化合物を含有することを特徴とする光学フィルター。
【化１】
（式中、Ｒ１は水素原子又は有機基を表し、Ｒ２は置換基を有することのできる飽和又は不飽和アルキル基あるいは置換基を有することのできるアリール基を表し、Ｒ３は水素原子、不飽和結合を有することのできるアルキル基、アリール基、アルコキシ基、ハロゲン原子、ニトロ基又はシアノ基を表し、ｎは０〜４の数を表す）」（公報【特許請求の範囲】【請求項１】）
　
（１−ロ）「【０００６】【課題を解決するための手段】本発明者等は、検討を重ねた結果、特定のスクアリリウム化合物を使用してなる光学フィルターが、特定の波長にシャープな吸収を有することで画像表示装置の画像特性を著しく改善し得ることを見出し、本発明に到達した。」（公報【０００６】段落）
　
（１−ハ）「【０００９】上記一般式（Ｉ）において、Ｒ１で表される有機基としては、メチル、エチル、プロピル、・・・（省略）・・・等のアルキル基、ビニル、１−メチルエテニル、２−メチルエテニル、プロペニル、・・・（省略）・・・等のアルケニル基、・・・（省略）・・・、ベンジル、フェネチル、２−フェニルプロパン−２−イル、・・・（省略）・・・等のアリールアルキル基等、・・・（省略）・・・が挙げられ、更にこれらの基は、アルコキシ基、アルケニル基、ニトロ基、シアノ基、ハロゲン原子等で置換されていてもよい。」（公報【０００９】段落）
　
（１−ニ）「【００３４】・・・（省略）・・・上記スクアリリウム色素を用いて光学フィルターを製造する方法は、特に限定されるものではなく、例えば、透明支持体又は任意の各層に含有させる方法、透明支持体又は任意の各層にコーティングする方法、各層間のバインダー（接着剤）に混入させる方法あるいは別にフィルター層を設ける方法等が挙げられる。」（公報【００３４】段落）
　
（１−ホ）「【００３６】上記透明支持体の材料としては、例えば、ガラス等の無機材料；あるいは、例えば、ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４'−ジカルボキシレート、ポリブチレンテレフタレート等のポリエステル；ポリスチレン；ポリエチレン、ポリプロピレン、ポリメチルペンテン等のポリオレフィン；ポリメチルメタクリレート等のアクリル系樹脂；ポリカーボネート；ポリスルホン；ポリエーテルスルホン；ポリエーテルケトン；ポリエーテルイミド；ポリオキシエチレン等の高分子材料が挙げられる。」（公報【００３６】段落）
　
（１−ヘ）「【００５０】本発明の光学フィルターは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に適用する。・・・（省略）・・・プラズマディスプレイパネルのような画像表示装置では、光学フィルターをディスプレイの前面に配置する。光学フィルターをディスプレイの表面に直接貼り付けることができる。また、ディスプレイの前に前面板が設けられている場合は、前面板の表側（外側）又は裏側（ディスプレイ側）に光学フィルターを貼り付けることもできる。」（公報【００５０】段落）
　
（１−ト）「【００５７】〔実施例２〕下記の配合をプラストミルで２６０℃、５分間溶融混練した。混練後直径６ｍｍのノズルから押出し水冷却ペレタイザーで色素含有ペレットを得た。このペレットを電気プレスを用いて２５０℃で０．２５ｍｍ厚の薄板に成形した。」（公報【００５７】段落）
　
（１−チ）「【００５９】（配合）
ユーピロンＳ−３０００　　　　　　　　　　　　　　１００ｇ
（三菱瓦斯化学（株）製；ポリカーボネート樹脂）
スクアリリウム化合物Ｎｏ．２　　　　　　　　　　０．０１ｇ　」（公報【００５９】段落）
　
（１−リ）「【００６０】〔実施例３〕下記の配合にてバインダー組成物を作成し、これを易密着処理した１８８μｍ厚のポリエチレンテレフタレート（ＰＥＴ）フィルムにバーコーター＃９を塗布し、８０℃、３０秒乾燥した。その後、このフィルムを０．９ｍｍ厚アルカリガラス板に１００℃で熱圧着し、ガラス板とＰＥＴフィルムの間のバインダー層に光吸収性色素を含有するＰＥＴ保護ガラス板を作成した。」（公報【００６０】段落）
　
（１−ヌ）「【００６３】【発明の効果】本発明は、特定波長においてシャープな吸収（λｍａｘ５６０〜６２０ｎｍ、半値巾５０ｎｍ以下）を有することから、特にプラズマディスプレイ（ＰＤＰ）用途に好適な光学フィルターを提供するものである。」（公報【００６３】段落）
　
　上記（１−イ）〜（１−ヌ）の記載より、先願明細書１には、次の発明（以下、「先願発明１」という。）が記載されている。
「下記一般式（Ｉ）
（式中、Ｒ１は水素原子又は有機基を表し、Ｒ２は置換基を有することのできる飽和又は不飽和アルキル基あるいは置換基を有することのできるアリール基を表し、Ｒ３は水素原子、不飽和結合を有することのできるアルキル基、アリール基、アルコキシ基、ハロゲン原子、ニトロ基又はシアノ基を表し、ｎは０〜４の数を表す）、
で示される化合物を含有する層が、ガラスである透明支持体に積層されてなる、
または、上記一般式（Ｉ）
で示される化合物を含有する樹脂の透明支持体からなる、
プラズマディスプレイパネルの前面に配置される光学フィルター。」
　
（２）甲第２号証
　甲第２号証（以下「先願明細書２」という）には、以下の点（２−イ）〜（２−ヲ）が記載されている。
（２−イ）「【特許請求の範囲】【請求項１】下記一般式（Ｉ）で表される化合物を含有することを特徴とする光学フィルター。
【化１】
（式中、Ｒ１、Ｒ２は各々独立に炭素数１〜４のアルキル基を表し、あるいはＲ１、Ｒ２は一緒になって酸素、硫黄、窒素原子を含んでもよい３〜６員環を形成することができ、Ｙは各々独立に有機基を表し、Ｘは水素原子又はハロゲン原子を表し、Ａｎｍ−はｍ価のアニオンを表し、ｍは１又は２の整数を表し、ｐは電荷を中性に保つ係数を表す）」（公報【特許請求の範囲】【請求項１】）
　
（２−ロ）「【０００５】従って、本発明の目的は、特定波長においてシャープな吸収（λｍａｘ５６０〜６２０ｎｍ、半値巾５０ｎｍ以下）を有する画像表示装置用の光学フィルターを提供することである。」（公報【０００５】段落）
　
（２−ハ）「【０００６】【課題を解決するための手段】本発明者等は、検討を重ねた結果、特定のシアニン色素を使用してなる光学フィルターが、特定の波長にシャープな吸収を有することで画像表示装置の画像特性を著しく改善し得ることを見出し、本発明に到達した。」（公報【０００６】段落）
　
（２−ニ）「【０００９】・・・（省略）・・・Ｙで表される有機基としては特に制限を受けず、例えば、メチル、エチル、プロピル、・・・（省略）・・・等のアルキル基、ビニル、１−メチルエテニル、２−メチルエテニル、・・・（省略）・・・等のアルケニル基、・・・（省略）・・・、ベンジル、フェネチル、２−フェニルプロパン−２−イル、・・・（省略）・・・等のアリールアルキル基等、・・・（省略）・・・が挙げられ、更にこれらの基は、アルコキシ基、アルケニル基、ニトロ基、シアノ基、ハロゲン原子等で置換されていてもよい。・・・（省略）・・・」（公報【０００９】段落）
　
（２−ホ）「【００３２】・・・（省略）・・・上記シアニン色素を用いて光学フィルターを製造する方法は、特に限定されるものではなく、例えば、透明支持体又は任意の各層に含有させる方法、透明支持体又は任意の各層にコーティングする方法、各層間のバインダー（接着剤）に混入させる方法あるいは別にフィルター層を設ける方法等が挙げられる。」（公報【００３２】段落）
　
（２−ヘ）「【００３４】上記透明支持体の材料としては、例えば、ガラス等の無機材料；あるいは、例えば、ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４' −ジカルボキシレート、ポリブチレンテレフタレート等のポリエステル；ポリスチレン；ポリエチレン、ポリプロピレン、ポリメチルペンテン等のポリオレフィン；ポリメチルメタクリレート等のアクリル系樹脂；ポリカーボネート；ポリスルホン；ポリエーテルスルホン；ポリエーテルケトン；ポリエーテルイミド；ポリオキシエチレン等の高分子材料が挙げられる。」（公報【００３４】段落）
　
（２−ト）「【００４８】本発明の光学フィルターは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に適用する。・・・（省略）・・・プラズマディスプレイパネルのような画像表示装置では、光学フィルターをディスプレイの前面に配置する。光学フィルターをディスプレイの表面に直接貼り付けることができる。また、ディスプレイの前に前面板が設けられている場合は、前面板の表側（外側）又は裏側（ディスプレイ側）に光学フィルターを貼り付けることもできる。」（公報【００４８】段落）
　
（２−チ）「【００５４】〔実施例２〕下記の配合をプラストミルで２６０℃、５分間溶融混練した。混練後、直径６ｍｍのノズルから押出し水冷却ペレタイザーで色素含有ペレットを得た。このペレットを電気プレスを用いて２５０℃で０．２５ｍｍ厚の薄板に成形した。これを上記Ｕ−３０１０で測定したところ、λｍａｘが５８６ｍで半値巾が３８ｎｍであり、光学フィルターとして好適である。」（公報【００５４】段落）
　
（２−リ）「【００５５】（配合）
　ユーピロンＳ−３０００　　　　　　　　　　　　　　１００ｇ
（三菱瓦斯化学（株）製；ポリカーボネート樹脂）
化合物Ｎｏ．２−ＣｌＯ４塩　　　　　　　　　　　　 ０．０１ｇ　」（公報【００５５】段落）
　
（２−ヌ）「【００５８】〔実施例３〕下記の配合にてバインダー組成物を作成し、これを易密着処理した１８８μｍ厚のポリエチレンテレフタレート（ＰＥＴ）フィルムにバーコーター＃９を塗布し、８０℃、３０秒乾燥した。その後、このフィルムを０．９ｍｍ厚アルカリガラス板に１００℃で熱圧着し、ガラス板とＰＥＴフィルムの間のバインダー層に光吸収性色素を含有するＰＥＴ保護ガラス板を作成した。これを上記Ｕ−３０１０で測定したところ、λｍａｘが５８５ｎｍで半値巾が３６ｎｍであり、光学フィルターとして好適である。」（公報【００５８】段落）
　
（２−ル）「【００６２】〔実施例４〜１７〕化合物Ｎｏ．１、２及び４〜１５のＣｌＯ４塩を用いて実施例３と同様のＰＥＴ保護ガラス板を作成し、これを上記Ｕ−３０１０で測定したところ、いずれもλｍａｘが５６０〜６２０ｎｍに含まれ、かつ半値巾が４０ｎｍ以下であり、光学フィルターとして好適である。」（公報【００６２】段落）
　
（２−ヲ）「【００６４】【発明の効果】本発明は、特定のシアニン色素を使用してなる、特にプラズマディスプレイ（ＰＤＰ）用途に好適な光学フィルターを提供するものである。」（公報【００６４】段落）
　上記（２−イ）〜（２−ヲ）の記載より、先願明細書２には、次の発明（以下、「先願発明２」という。）が記載されている。
「下記一般式（Ｉ）
（式中、Ｒ１、Ｒ２は各々独立に炭素数１〜４のアルキル基を表し、あるいはＲ１、Ｒ２は一緒になって酸素、硫黄、窒素原子を含んでもよい３〜６員環を形成することができ、Ｙは各々独立に有機基を表し、Ｘは水素原子又はハロゲン原子を表し、Ａｎｍ−はｍ価のアニオンを表し、ｍは１又は２の整数を表し、ｐは電荷を中性に保つ係数を表す）、
で示される化合物を含有する層が、ガラスである透明支持体に積層されてなる、
または、上記一般式（Ｉ）
で示される化合物を含有する樹脂の透明支持体からなる、
プラズマディスプレイパネルの前面に配置される光学フィルター。」
　
５　対比・判断
（１）本件発明１について
Ａ）先願明細書１について
　先願発明１の「化合物を含有する層が、ガラスである透明支持体に積層されてなる、プラズマディスプレイパネルの前面に配置される光学フィルター」が、本件発明１の「化合物を含有する層が、ガラス板に積層されてなることを特徴とする映像表示機器用前面板」に相当することは明白である。
　そこで、該「化合物」について、先願発明１の「一般式（１）」と本件発明１の「一般式（１）」とを比較する。まず、先願発明１の「Ｒ１」（「水素原子又は有機基」）が本件発明１の「Ｒ1」及び「Ｒ2」（「置換基を有していてもよい脂肪族炭化水素基」）に相当することは、先願明細書１の記載から明白である。また、先願発明１の「Ｒ２」（「置換基を有することのできる飽和又は不飽和アルキル基あるいは置換基を有することのできるアリール基」）が本件発明１の「Ｒ3」及び「Ｒ4」（「水素原子または置換基」）に相当することも明白である。
　そこで、先願発明１において、本件発明１の「Ｌ1」及び「Ｌ2」（「置換基を有していてもよい芳香族環」）に対応している部分は、ｎ個の「Ｒ３」で置換されているベンゼン環であるが、その「Ｒ３」は「水素原子、不飽和結合を有することのできるアルキル基、アリール基、アルコキシ基、ハロゲン原子、ニトロ基又はシアノ基」すなわち置換基であり、またベンゼン環は、芳香族環の一種であり、この点においても先願発明１の「一般式（１）」と本件発明１の「一般式（１）」とは一致している。
　また、その余の部分においても、先願発明１の「一般式（１）」と本件発明１の「一般式（１）」とが一致していることは明白である。
　
　したがって、本件発明１は、先願明細書１に記載された発明と同一であり、しかも、本件発明１の発明者が先願明細書１に記載された発明の発明者と同一であるとも、また、本件の出願時に、その出願人が先願明細書１に係る出願の出願人と同一であるとも認められないので、本件発明１は、特許法第２９条の２の規定により、特許を受けることができない。
　
Ｂ）先願明細書２について
　先願発明２の「化合物を含有する層が、ガラスである透明支持体に積層されてなる、プラズマディスプレイパネルの前面に配置される光学フィルター」が、本件発明１の「化合物を含有する層が、ガラス板に積層されてなることを特徴とする映像表示機器用前面板」に相当することは明白である。
　そこで、該「化合物」について、先願発明２の「一般式（１）」と本件発明１の「一般式（２）」とを比較する。まず、先願発明２の「Ｙ」（「有機基」）が本件発明１の「Ｒ5」及び「Ｒ6」（「置換基を有していてもよい脂肪族炭化水素基」）に相当することは、先願明細書２の記載から明白である。次に、先願発明２の「Ｘ」（「水素原子又はハロゲン原子」）が本件発明１の「Ｒ８」（「水素原子または置換基」）に相当することも明白である。次に、先願発明２の「ｐＡｎｍ−」（「Ａｎｍ−はｍ価のアニオンを表し、ｍは１又は２の整数を表し、ｐは電荷を中性に保つ係数を表す」）が本件発明１の「Ｘ-」（「対陰イオン」）に相当することも明白である。次に、先願発明２において、本件発明１の「Ｒ７」及び「Ｒ９」（「水素原子または置換基」）に対応している部分は、水素原子であり、この点においても先願発明１の「一般式（１）」と本件発明１の「一般式（２）」とは一致している。
　そして、先願発明２において、本件発明１の「Ｌ３」及び「Ｌ４」（「置換基を有していてもよい芳香族環」）に対応している部分は、ニトロ基を有するベンゼン環であるが、ニトロ基は置換基の一種であり、またベンゼン環は、芳香族環の一種であって、この点においても先願発明１の「一般式（１）」と本件発明１の「一般式（２）」とは一致している。
　さらに、先願発明２において、本件発明１の「Ｚ１」及び「Ｚ２」（「５員環を形成するための２価の基」）に対応している部分は、『−Ｃ（Ｒ１）（Ｒ２）−』であるが、『−Ｃ（Ｒ１）（Ｒ２）−』は２価の基であり、また、先願発明２の「一般式（１）」中で５員環の一部分を形成しているものであって、この点においても先願発明１の「一般式（１）」と本件発明１の「一般式（２）」とは一致している。
　また、その余の部分においても、先願発明２の「一般式（１）」と本件発明１の「一般式（２）」とが一致していることは明白である。
　
　したがって、本件発明１は、先願明細書２に記載された発明と同一であり、しかも、本件発明１の発明者が先願明細書２に記載された発明の発明者と同一であるとも、また、本件の出願時に、その出願人が先願明細書２に係る出願の出願人と同一であるとも認められないので、本件発明１は、特許法第２９条の２の規定により、特許を受けることができない。
　
（２）本件発明２について
Ａ）先願明細書１について
　先願発明１の「化合物を含有する樹脂の透明支持体からなる、プラズマディスプレイパネルの前面に配置される光学フィルター」が、本件発明２の「化合物を含有する樹脂板からなることを特徴とする映像表示機器用前面板」に相当することは明白である。
　そこで、該「化合物」について、先願発明１の「一般式（１）」と本件発明２の「一般式（１）」とを比較する。まず、先願発明１の「Ｒ１」（「水素原子又は有機基」）が本件発明２の「Ｒ1」及び「Ｒ2」（「置換基を有していてもよい脂肪族炭化水素基」）に相当することは、先願明細書１の記載から明白である。また、先願発明１の「Ｒ２」（「置換基を有することのできる飽和又は不飽和アルキル基あるいは置換基を有することのできるアリール基」）が本件発明２の「Ｒ3」及び「Ｒ4」（「水素原子または置換基」）に相当することも明白である。
　そこで、先願発明１において、本件発明２の「Ｌ1」及び「Ｌ2」（「置換基を有していてもよい芳香族環」）に対応している部分は、ｎ個の「Ｒ３」で置換されているベンゼン環であるが、その「Ｒ３」は「水素原子、不飽和結合を有することのできるアルキル基、アリール基、アルコキシ基、ハロゲン原子、ニトロ基又はシアノ基」すなわち置換基であり、またベンゼン環は、芳香族環の一種であり、この点においても先願発明１の「一般式（１）」と本件発明２の「一般式（１）」とは一致している。
　また、その余の部分においても、先願発明１の「一般式（１）」と本件発明２の「一般式（１）」とが一致していることは明白である。
　
　したがって、本件発明２は、先願明細書１に記載された発明と同一であり、しかも、本件発明２の発明者が先願明細書１に記載された発明の発明者と同一であるとも、また、本件の出願時に、その出願人が先願明細書１に係る出願の出願人と同一であるとも認められないので、本件発明２は、特許法第２９条の２の規定により、特許を受けることができない。
　
Ｂ）先願明細書２について
　先願発明２の「化合物を含有する樹脂の透明支持体からなる、プラズマディスプレイパネルの前面に配置される光学フィルター」が、本件発明２の「化合物を含有する樹脂板からなることを特徴とする映像表示機器用前面板」に相当することは明白である。
　そこで、該「化合物」について、先願発明２の「一般式（１）」と本件発明２の「一般式（２）」とを比較する。まず、先願発明２の「Ｙ」（「有機基」）が本件発明２の「Ｒ5」及び「Ｒ6」（「置換基を有していてもよい脂肪族炭化水素基」）に相当することは、先願明細書２の記載から明白である。次に、先願発明２の「Ｘ」（「水素原子又はハロゲン原子」）が本件発明２の「Ｒ８」（「水素原子または置換基」）に相当することも明白である。次に、先願発明２の「ｐＡｎｍ−」（「Ａｎｍ−はｍ価のアニオンを表し、ｍは１又は２の整数を表し、ｐは電荷を中性に保つ係数を表す」）が本件発明２の「Ｘ-」（「対陰イオン」）に相当することも明白である。次に、先願発明２において、本件発明２の「Ｒ７」及び「Ｒ９」（「水素原子または置換基」）に対応している部分は、水素原子であり、この点においても先願発明１の「一般式（１）」と本件発明２の「一般式（２）」とは一致している。
　そして、先願発明２において、本件発明２の「Ｌ３」及び「Ｌ４」（「置換基を有していてもよい芳香族環」）に対応している部分は、ニトロ基を有するベンゼン環であるが、ニトロ基は置換基の一種であり、またベンゼン環は、芳香族環の一種であって、この点においても先願発明１の「一般式（１）」と本件発明２の「一般式（２）」とは一致している。
　さらに、先願発明２において、本件発明２の「Ｚ１」及び「Ｚ２」（「５員環を形成するための２価の基」）に対応している部分は、『−Ｃ（Ｒ１）（Ｒ２）−』であるが、『−Ｃ（Ｒ１）（Ｒ２）−』は２価の基であり、また、先願発明２の「一般式（１）」中で５員環の一部分を形成しているものであって、この点においても先願発明１の「一般式（１）」と本件発明２の「一般式（２）」とは一致している。
　また、その余の部分においても、先願発明２の「一般式（１）」と本件発明２の「一般式（２）」とが一致していることは明白である。
　
　したがって、本件発明２は、先願明細書２に記載された発明と同一であり、しかも、本件発明２の発明者が先願明細書２に記載された発明の発明者と同一であるとも、また、本件の出願時に、その出願人が先願明細書２に係る出願の出願人と同一であるとも認められないので、本件発明２は、特許法第２９条の２の規定により、特許を受けることができない。
　
６　むすび
　以上のとおりであるから、本件の請求項１乃至２に係る発明についての特許は、特許法第２９条の２の規定に違反してなされたものであり、同法第１２３条第１項第２号の規定に該当し、無効とすべきものである。
　審判に関する費用については、特許法第１６９条第２項の規定で準用する民事訴訟法第６１条の規定により、被請求人が負担すべきものとする。
 よって、結論のとおり審決する。